(57)【要約】【課題】  会議の開始から所定時間を経過したときに記録開始ボタンが押されているか否かを判定することができる情報処理装置を提供する。【解決手段】  画像を入力するカメラ２と、音声を入力するマイク９と、カメラ２の画像入力タイミングから画像の再生開始時刻を検出するスライド再生開始時刻検出部５と、マイク９の音声入力タイミングから発話開始時刻を検出する発話開始時刻検出部１２と、画像及び音声の記録開始の操作入力を受け付ける操作部２０と、再生開始時刻と発話開始時刻のうち開始時刻の遅い方の時刻を検出する時間順序決定部１７と、開始時刻の遅い方の時刻と現在時刻との差が所定時間以上となったときに、操作部２０で記録開始の操作入力を受け付けているか否かを判定し、記録開始の操作入力を受け付けていない場合に、この旨を通知する通知警告部１８とを有する構成としている。【選択図】        図１
2008311883.tif 000002
【特許請求の範囲】
【請求項１】
画像を入力する画像入力手段と、
音声を入力する音声入力手段と、
画像及び音声の記録開始の操作入力を受け付ける操作受付手段と、
画像入力手段の画像の入力開始、又は音声入力手段の音声の入力開始からの経過時間が所定時間以上となったときに、前記操作受付手段で記録開始の操作入力を受け付けているか否かを判定する判定手段と、
を有することを特徴とする情報処理装置。
【請求項２】
画像を入力する画像入力手段と、
音声を入力する音声入力手段と、
前記画像入力手段の画像入力タイミングから画像の再生開始時刻を検出する再生時刻検出手段と、
前記音声入力手段の音声入力タイミングから発話開始時刻を検出する発話開始時刻検出手段と、
画像及び音声の記録開始の操作入力を受け付ける操作受付手段と、
前記再生開始時刻と前記発話開始時刻のうち開始時刻の遅い方の時刻を検出し、検出した時刻からの経過時間が所定時間以上となったときに、前記操作受付手段で記録開始の操作入力を受け付けているか否かを判定する判定手段と、
を有することを特徴とする情報処理装置。
【請求項３】
前記判定手段で前記記録開始の操作入力を受け付けていないと判定された場合に、この旨を通知する通知手段を有することを特徴とする請求項１又は２記載の情報処理装置。
【請求項４】
前記判定手段は、前記記録開始の操作入力を受け付けていないと判定した場合に、画像及び音声の記録を自動で開始することを特徴とする請求項１又は２記載の情報処理装置。
【請求項５】
コンピュータを、
画像を入力する画像入力手段の画像入力タイミングから画像の再生開始時刻を検出する再生時刻検出手段と、
音声を入力する音声入力手段の音声入力タイミングから発話開始時刻を検出する発話開始時刻検出手段と、
画像及び音声の記録開始の操作入力を受け付ける操作受付手段と、
前記再生開始時刻と前記発話開始時刻のうち開始時刻の遅い方の時刻を検出し、検出した時刻からの経過時間が所定時間以上となったときに、前記操作受付手段で記録開始の操作入力を受け付けているか否かを判定する判定手段と、
前記判定手段で前記記録開始の操作入力を受け付けていないと判定された場合に、この旨を通知する通知手段として機能させるためのプログラム。
【発明の詳細な説明】
【技術分野】
【０００１】
本発明は、カメラ、マイク、コンピュータ等の装置を用いて、会議の様子を記録する技術に関する。
【背景技術】
【０００２】
昨今、通信技術、デバイス技術、コンピューティング技術等の発展に伴い、コンピュータ、カメラ、マイクおよびプロジェクタがオフィスなどに深く浸透してきている。これと相まって、オフィスや教室などで行われる会議、講演、プレゼンテーション、議論などは通信、ネットワークおよびコンピュータの支援を受けることができるようになってきている。
例えば、会議室にいわゆるネットワークコンピュータ、カメラ及びプロジェクタを配置することで、会議を支援することができる。また、近年、いわゆる会議記録システムを使用して、会議で使われた電子的なスライドなどのプレゼンテーション資料や、講演者あるいはプレゼンターを撮影したビデオデータおよび音声データを記録ないし蓄積し、いわゆるＷｅｂアプリケーションとしてネットワークを介して閲覧ないし提示することができるようになってきている。
【０００３】
特許文献１には、プロジェクタを用いたプレゼンテーションの記録、再生、配信制御に関する技術が開示されている。特許文献１は、番組開始時刻および終了時刻に基づいて情報配信を行うための配信スケジューリング部を有することを特徴としている。
【０００４】
【特許文献１】特開２００２−２０９２００号公報
【発明の開示】
【発明が解決しようとする課題】
【０００５】
しかしながら、上述の装備を用いて会議の様子を記録することができるようになってきているが、記録開始の操作ボタンを押し忘れて、会議の内容が記録されないというミスが起こることがある。特に重要な会議では、後で会議に参加できなかった人が記録された映像や音声から会議の内容を把握するケースもあり、会議内容が記録されていない、又は会議の途中から記録されているような場合には、会議内容の理解度が他の会議参加者よりも低いままとなる。
【０００６】
本発明は上記事情に鑑みてなされたものであり、会議の開始から所定時間を経過したときに記録開始ボタンが押されているか否かを判定することで、操作者への警告や自動記録が可能な情報処理装置及びプログラムを提供することを目的とする。
【課題を解決するための手段】
【０００７】
かかる目的を達成するために本発明の情報処理装置は、画像を入力する画像入力手段と、音声を入力する音声入力手段と、画像及び音声の記録開始の操作入力を受け付ける操作受付手段と、画像入力手段の画像の入力開始、又は音声入力手段の音声の入力開始からの経過時間が所定時間以上となったときに、前記操作受付手段で記録開始の操作入力を受け付けているか否かを判定する判定手段とを有する構成を採用している。
本発明によれば、会議の開始から所定時間を経過したときに記録開始ボタンが押されているか否かを判定することができる。従って、判定結果をもとに操作者への警告や自動記録が可能となる。
【０００８】
本発明の情報処理装置は、画像を入力する画像入力手段と、音声を入力する音声入力手段と、前記画像入力手段の画像入力タイミングから画像の再生開始時刻を検出する再生時刻検出手段と、前記音声入力手段の音声入力タイミングから発話開始時刻を検出する発話開始時刻検出手段と、画像及び音声の記録開始の操作入力を受け付ける操作受付手段と、前記再生開始時刻と前記発話開始時刻のうち開始時刻の遅い方の時刻を検出し、検出した時刻からの経過時間が所定時間以上となったときに、前記操作受付手段で記録開始の操作入力を受け付けているか否かを判定する判定手段とを有する構成を採用している。
【０００９】
上記情報処理装置において、前記判定手段で前記記録開始の操作入力を受け付けていないと判定された場合に、この旨を通知する通知手段を有するとよい。
【００１０】
上記情報処理装置において、前記判定手段は、前記記録開始の操作入力を受け付けていないと判定した場合に、画像及び音声の記録を自動で開始するとよい。
【００１１】
本発明のプログラムは、コンピュータを、画像を入力する画像入力手段の画像入力タイミングから画像の再生開始時刻を検出する再生時刻検出手段と、音声を入力する音声入力手段の音声入力タイミングから発話開始時刻を検出する発話開始時刻検出手段と、画像及び音声の記録開始の操作入力を受け付ける操作受付手段と、前記再生開始時刻と前記発話開始時刻のうち開始時刻の遅い方の時刻を検出し、検出した時刻からの経過時間が所定時間以上となったときに、前記操作受付手段で記録開始の操作入力を受け付けているか否かを判定する判定手段と、
前記判定手段で前記記録開始の操作入力を受け付けていないと判定された場合に、この旨を通知する通知手段として機能させることを特徴としている。
【発明の効果】
【００１２】
本発明によれば、会議の開始から所定時間を経過したときに記録開始ボタンが押されているか否かを判定することができる。従って、判定結果をもとに操作者への警告や自動記録が可能となる。
【発明を実施するための最良の形態】
【００１３】
添付図面を参照しながら本発明の好適な実施例を説明する。
【実施例１】
【００１４】
図１に本実施例の情報処理装置１の構成を示す。図１に示すように本実施例の情報処理装置１は、カメラ２、第１Ａ／Ｄ変換部３、フレームバッファ４、スライド再生開始時刻検出部５、第１符号化部６、画像データ記憶部７、表示部８、マイク９、第２Ａ／Ｄ変換部１０、音声バッファ１１、発話開始時刻検出部１２、第２符号化部１３、音声データ記憶部１４、音声出力部１５、タイマ１６、時間順序決定部１７、通知警告部１８、記録開始判定部１９、操作部２０を備えている。
【００１５】
カメラ２は、情報処理装置１の外部からプレゼンテーションのスライドの画像データを撮像する。また、カメラ２は撮像した画像データを後続する第１Ａ／Ｄ変換部３に出力する。
【００１６】
第１Ａ／Ｄ変換部３は、カメラ２から取得したアナログの画像データをデジタルデータに変換し、フレームバッファ４に出力する。
【００１７】
フレームバッファ４は、ＤＲＡＭ（Dynamic Random Access Memory）などのメモリで構成され、第１Ａ／Ｄ変換部３からデジタル化された画像データを取得し、取得した画像データを保存する。またフレームバッファ４は、保存した画像データを後続する第１符号化部６に出力する。
また、フレームバッファ４は、画像データの保存の開始タイミングを示す画像データ保持開始データを後続するスライド再生開始時刻検出部５に通知する。
【００１８】
スライド再生開始時刻検出部５は、フレームバッファ４から通知された画像データ保持開始データを検出し、検出した時刻をタイマ１６から取得してスライド再生開始時刻として保持する。さらに、スライド再生開始時刻検出部５は、取得したスライド再生開始時刻を時間順序決定部１７に出力する。
【００１９】
第１符号化部６は、記録開始判定部１９による記録開始の判定結果に応じて、フレームバッファ４から画像データを取得し、取得した画像データを符号化する。符号化の方式については、例えばＪＰＥＧ（Joint Photographic Expert Group）など、広く一般的に知られた規格に準拠した方式を採用することができる。また、第１符号化部６は、符号化した画像データを画像データ記憶部７に出力する。
【００２０】
画像データ記憶部７は、第１符号化部６から符号化れた画像データを取得し、後続する表示部８に出力する。画像データ記憶部７は、ＤＲＡＭなどの一般的なメモリやハードディスク装置から構成れる。
【００２１】
表示部８は、画像データ記憶部７から取得した画像データをデコードするデコーダを含み、復号化した画像データを表示画面に表示する。
【００２２】
マイク９は、情報処理装置１の外部から利用者の声などの音声データを入力し、入力した音声データを後続する第２Ａ／Ｄ変換部１０に出力する。音声データには、いわゆるＢＧＭ（Background Music）や拍手などの音響データが含まれる場合がある。
【００２３】
第２Ａ／Ｄ変換部１０は、マイク９から入力した音声データにＡ／Ｄ変換を実施する。第２Ａ／Ｄ変換部１０は、Ａ／Ｄ変換によってデジタル化された音声データを後続する音声バッファ１１に出力する。
【００２４】
音声バッファ１１は、いわゆるＤＲＡＭなどの一般的なメモリで構成され、第２Ａ／Ｄ変換部１０からデジタル化された音声データを取得して、取得した音声データを一時的に保持する。また、音声バッファ１１は、保持した音声データを後続する第２符号化部１３に出力する。
さらに、音声バッファ１１は、音声データの保持の開始タイミングを示す音声データ保持開始データを後続する発話開始時刻検出部１２に通知する。
【００２５】
発話開始時刻検出部１２は、音声バッファ１１から通知された音声データ保持開始データを監視して検出し、音声データ保持開始データを検出した時刻をタイマ１６から音声データ開始時刻として取得する。さらに、発話開始時刻検出部１２は、取得した音声データ開始時刻を時間順序決定部１７に出力する。
【００２６】
第２符号化部１３は、記録開始判定部１９による記録開始の判定結果に応じて、音声バッファ１１から音声データを取得し、取得した音声データを符号化する。第２符号化部１３の符号化方式には、ＭＰ３（MPEG-1 Audio Layer-3）などの一般的に知られた方式を採用することができる。
【００２７】
音声データ記憶部１４は、第２符号化部１３から符号化された音声データを取得して記憶する。また、音声データ記憶部１４は、取得した音声データを後続する音声出力部１５に出力する。
【００２８】
音声出力部１５は、音声データ記憶部１４から取得した音声データを復号するデコーダを有し、デコードした音声データを音声として出力する。
【００２９】
タイマ１６は、スライド再生開始時刻検出部５、発話開始時刻検出部１２および通知警告部１８に接続され、各部に時刻データを提供する。
【００３０】
時間順序決定部１７は、スライド再生開始時刻検出部５からスライド再生開始時刻を取得する。また、時間順序決定部１７は、発話開始時刻検出部１２から音声データ開始時刻を取得する。そして、時間順序決定部１７は、スライド再生開始時刻および音声データ開始時刻のうち、時刻の早い方を第１提示開始時刻、時刻の遅い方を第２提示開始時刻として後続する通知警告部１８に出力する。図２（Ａ）にスライド再生開始時刻が音声データ開始時刻よりも早い場合を示し、図２（Ｂ）に音声データ開始時刻がスライド再生開始時刻よりも早い場合を示す。
図２（Ａ）では、スライド再生開始時刻が第１提示開示時刻となり、音声データ開始時刻が第２提示開始時刻となる。また、図２（Ｂ）では、音声データ開始時刻が第１提示開始時刻となり、スライド再生開始時刻が第２提示開始時刻となる。
【００３１】
操作部２０は、入力ボタンやスイッチなどで構成され、利用者による記録開始の操作を受け付ける。
利用者は、情報処理装置１に画像および音声の記録開始を指示するときには、操作部２０の入力ボタンやスイッチを押す。操作部２０は、利用者によって入力ボタンやスイッチが押されると、記録開始判定部１９に記録開始データを出力する。
【００３２】
記録開始判定部１９は、操作部２０から通知される記録開始データを監視して検出する。記録開始判定部１９が記録開始データを検出することで利用者からの記録開始の要求があると判定し、その判定結果を記録開始判定結果データとして第１符号化部６、第２符号化部１３および通知警告部１８に出力する。
また、記録開始判定部１９は、記録開始データを検出できない場合に、利用者からの記録開始要求がないものと判定し、その判定結果を記録開始判定結果データとして第１符号化部６、第２符号化部１３および通知警告部１８に出力する。
記録開始判定部１９から出力される記録開始判定結果データは、利用者からの記録開始の要求があると判定した場合にはＴｒｕｅの論理値を示す。また、利用者からの記録開始の要求がないと判定した場合にはＦａｌｓｅの論理値を示す。
【００３３】
通知警告部１８は、時間順序決定部１７から第１提示開始時刻及び第２提示開始時刻を取得すると共に、タイマ１６から現在時刻を取得する。また、通知警告部１８は、現在時刻と第２提示開始時刻との差分の時間(以下、差分時間t_diffと呼ぶ)を算出する。さらに通知警告部１８は、記録開始判定部１９から記録開始判定結果データを取得する。
【００３４】
図３を参照しながら通知警告部１８の処理について具体的に説明する。図３には、時間順序決定部１７から取得した第１提示開始時刻(t_presentation Start Time1)及び第２提示開始時刻(t_presentation Start Time2)、タイマ１６から取得した現在時刻（t_now）の時間関係を示す。なお、図３の横軸は時間を示す。また、図３では、現在時刻（t_now）が第２提示開始時刻(t_presentation Start Time2)に後続する場合を例示する。
【００３５】
通知警告部２１は、差分時間t_diffと所定の時間とを比較し、差分時間t_diffの方が大きい場合、かつ記録開始判定部１９から記録開始判定結果データがＦａｌｓｅの値を示すとき、利用者に対して表示部８に未だ記録が開始されていないと判定する。この場合、画像データおよび音声データの記録が開始されていないことを警告するため、「未だ記録が開始されていません」などの画像データを出力したり、音声データを音声出力部１５から出力する。
なお、所定の時間は、基準時間Δtと、この基準時間を整数倍した倍数時間２Δt，３Δt、・・・とからなり、第２提示開始時刻(t_presentation Start Time2)からの経過時間が基準時間Δt、倍数時間(2Δt,3Δt・・・)となるタイミングでそれぞれ警告を行う。
なお、所定の時間Δｔを０倍した時間を警告タイミングに含ませることもできる。すなわち、第２提示開始時刻を１回目の警告タイミングに含ませる。
【００３６】
これを式で表現すると以下の式（１）となる。
ｔ＿ｄｉｆｆ≧Δt・・・・・（１）
また、所定の時間Δｔの倍数を考慮すると式（２）となる。
ｔ＿ｄｉｆｆ≧ｎΔt・・・・・（２）
ここで、ｎは０以上の整数である。
【００３７】
図４に、式（２）に従って利用者に対してプレゼンテーションが未だ記録が開始されていないことを警告したタイミングを示す。
式（２）のｎに０を含めているので、第２提示開始時刻t_presentation Start Time2の時刻t_w0で、一回目の警告がなされる。
第２回目の警告は、式２においてｎが１の場合である。図４では、時刻t_w1で第２回目の警告がなされる。
第３回目の警告は、式２においてｎが２の場合である。図４では、時刻t_w2で第３回目の警告がなされる。
【００３８】
情報処理装置１は、利用者がプレゼンテーションの記録を開始するまで、プレゼンテーションの記録が開始されていないことを示す警告を繰り返す。つまり操作部２０を介した利用者による記録開始のためのボタン又はスイッチが押下されるまで、通知警告部１８は、利用者に対して、表示部８および音声出力部１５によってプレゼンテーションの記録が開始されていないことを示す警告を繰り返す。
具体的には、利用者によって操作部２０の記録開始のためのボタン又はスイッチが押されるまで、表示部８に「未だ記録が開始されていません」などと表示した画像データを表示し、音声出力部１５に「未だ記録が開始されていません」との音声案内を出力する。
【００３９】
図５に示すフローチャートを参照しながら情報処理装置１の処理手順を説明する。
まず、画像及び音声の入力処理を行う（ステップＳ１）。カメラ２は、情報処理装置１の外部からプレゼンテーションのスライドの画像データを撮像する。またカメラ２は、撮像した画像データを後続する第１Ａ／Ｄ変換部３に出力する。第１Ａ／Ｄ変換部３は、カメラ２から取得した画像データをアナログデータからデジタルデータに変換し、変換した画像データをフレームバッファ４に出力する。
【００４０】
フレームバッファ４は、第１Ａ／Ｄ変換部３からデジタル化された画像データを取得し、取得した画像データを保持する。また、フレームバッファ４は、保持した画像データを後続する第１符号化部６に出力する。加えて、フレームバッファ４は、画像データの保持の開始を示す画像データ保持開始データを後続するスライド再生開始時刻検出部５に通知する。
【００４１】
一方、情報処理装置１の外部から利用者の声などの音声データをマイク入力し、入力した音声データを後続する第２Ａ／Ｄ変換部１０に出力する。第２Ａ／Ｄ変換部１０は、マイク入力した音声データをデジタルデータに変換し、デジタル化された音声データを後続する音声バッファ１１に出力する。
音声バッファ１１は、第２Ａ／Ｄ変換部１０からデジタル化された音声データを取得し、取得した音声データを一時的に保存する。また、音声バッファ１１は、保存した音声データを後続する第２符号化部１３に出力する。加えて、音声バッファ１１は、音声データの保持の開始を示す音声データ保持開始データを後続する発話開始時刻検出部１２に通知する。
【００４２】
このとき、記録開始判定部１９で、利用者からのボタン又はスイッチの操作入力を監視している。
【００４３】
次に、スライド再生開始時刻検出の処理を行う（ステップＳ２）。このステップにおいてスライド再生開始時刻検出部５は、フレームバッファ４から通知された画像データ保持開始データを監視して検出し、画像データ保持開始データを検出した時刻をスライド再生開始時刻としてタイマ１６から取得する。また、スライド再生開始時刻検出部５は、取得したスライド再生開始時刻を時間順序決定部１７に出力する。
【００４４】
次に、発話開始時刻の取得の手続きを行う（ステップＳ３）。このステップでは、発話開始時刻検出部１２で、音声バッファ１１から出力される音声データ保持開始データを監視する。発話開始時刻検出部１２で音声データ保持開始データを検出した場合には、検出時刻を音声データ開始時刻としてタイマ１６から取得する。さらに発話開始時刻検出部１２は、取得した音声データ開始時刻を時間順序決定部１７に出力する。
【００４５】
次に、時間順序決定の手続きを行う（ステップＳ４）。このステップでは、時間順序決定部１７がスライド再生開始時刻検出部５からスライド再生開始時刻を取得する。また、時間順序決定部１７は、発話開始時刻検出部１２から音声データ開始時刻を取得する。そして、時間順序決定部１７は、スライド再生開始時刻と音声データ開始時刻のうちの時刻の早い方を選択し、第１提示開始時刻として通知警告部１８に出力する。また、時間順序決定部１７は、スライド再生開始時刻と音声データ開始時刻のうちの時刻の遅い方を選択し、第２提示開始時刻として通知警告部１８に出力する。
【００４６】
次に、現在時刻取得の手続きを行う（ステップＳ５）。このステップでは、通知警告部１８において、タイマ１６から現在時刻を取得する。
【００４７】
次に、差分時間算出の手続きを行う（ステップＳ６）。このステップでは、通知警告部１８は、時間順序決定部１７から第１提示開始時刻と第２提示開始時刻とを取得する。さらに、通知警告部１８は、現在時刻と第２提示開始時刻との差分時間（t_diff）を算出する。
通知警告部１８は、差分時間（t_diff）と所定の時間（ｎΔｔ）との差分を求める。差分が０とならない、すなわち、差分時間（t_diff）が所定の時間（ｎΔｔ）に一致しないうちは（ステップＳ７／ＮＯ）、一致するまで待機する。
【００４８】
差分時間（t_diff）が所定の時間（ｎΔｔ）に一致すると（ステップＳ７／ＹＥＳ）、通知警告部１８は、記録開始判定部１９から記録開始判定結果データを取得する（ステップＳ８）。
ここで、記録開始判定部１９から取得した記録開始判定結果データの値がＦａｌｓｅである場合（ステップＳ９／ＮＯ）、利用者に記録開始の操作が行われていないことを示す警告通知の処理（ステップＳ１０）に移行する。
また、記録開始判定部１９から取得した記録開始判定結果データの値がＴｒｕｅである場合（ステップＳ９／ＹＥＳ）、すなわち既にプレゼンテーションの記録が開始されている場合、この処理は終了する。なお、第１符号化部６は、記録開始判定部１９の判定結果に従って、フレームバッファ４から画像データを取得し、取得した画像データを符号化する。符号化した画像データは、第１符号化部６から画像データ記憶部７に出力される。また、第２符号化部１３は、記録開始判定部１９の判定結果に従って、音声バッファ１１から音声データを取得し、取得した音声データを符号化する。符号化した音声データは、第２符号化部１３から音声データ記憶部１４に出力される。
つまり、記録開始判定部１９がＴｒｕｅの判定結果を出力した時点で、画像データ及び音声データがプレゼンテーションの内容として画像データ記憶部７および音声データ記憶部１４に記憶される。
【００４９】
通知警告の手続き（ステップＳ１０）では、通知警告部１８は、利用者に記録が開始されていないことを警告するため、「未だ記録が開始されていません。」などと表示した画像データを出力する。また、通知警告部１８は、「未だ記録が開始されていません。」などの音声データを音声出力部１５に出力する。
【００５０】
このようにして本実施例は、会議の開始から所定時間を経過しても記録開始ボタンが押されなかった場合に、操作者に警告することができる。
【実施例２】
【００５１】
本発明にかかる情報処理装置の第２実施例について説明する。本実施例の構成は、上述した第１実施例の構成と同一である。但し、フレームバッファ４、画像データ記憶部７、音声バッファ１１、音声データ記憶部１４の全部、又は一部を同一のメモリ又は記憶装置として実現している。
【００５２】
また、第１符号化部６は、実施例１で採用したＪＰＥＧ形式の他に、いわゆるＰＮＧ（Portable Network Graphics）形式などで規定される他の画像符号化形式を使って符号化することもできる。さらに、第２符号化部１３も実施例１で採用したＭＰ３形式の他に、いわゆる線形ＰＣＭ（Linear Pulse Code Modulation）形式など他の音声符号化形式を採用することができる。
【００５３】
また操作部２０の入力ボタンやスイッチは、いわゆるＧＵＩ（Graphical User Interface）として実現することもできる。
【００５４】
また、表示部８に表示する通知警告のための画像データは、静止画像に限られず、動画像であってもよい。例えば、通知警告用動画として、いわゆるアニメーションを出力することもできる。
さらに、音声出力部１５に出力される警告のための音声データは、いわゆるビープ音やサイレンなどの音でもよい。
【００５５】
また、カメラ２は、複数用いてもよく、複数撮像された映像を１つに合成した画像を画像データとして利用することもできる。
同様にマイク９も複数用いることができる。複数のマイク９で集音された音声データをいわゆるミキサーで合成した音声データを利用することもできる。
【実施例３】
【００５６】
本実施例は、上述した実施例１の構成をソフトウェアによって実現するものである。本実施例の構成を図６に示す。本実施例は、図６に示すようにＣＰＵ３１、ＲＯＭ３２、ＲＡＭ３３、ＮＶＲＡＭ（Non Volatile RAM）３４、入出力部３５などで構成される。ＣＰＵ３１は、ＲＯＭ３２に格納したプログラムを読み込んで、このプログラムに従った演算を行うことにより、図１に示すスライド再生開始時刻検出部５、発話開始時刻検出部１２、時間順序決定部１７、通知警告部１８、記録開始判定部１９と同等の機能が実現される。このソフトウェア制御による処理手順も図５に示すフローで説明される。
また、ＲＡＭ３３には、演算結果のデータが書き込まれ、ＮＶＲＡＭ３４は、ＲＡＭ３３に書き込まれていたデータで、電源オフ時に保存の必要なデータが書き込まれる。
なお、ＣＰＵ３１の制御に使用するプログラムは、ＣＤ−ＲＯＭ等の記録媒体に格納されたものを読み込んでＮＶＲＡＭ３４に格納してもよいし、通信網を介して送信されたプログラムを入出力部３５で受信してＮＶＲＡＭ３４に格納してもよい。
【００５７】
上述した実施例は本発明の好適な実施の例である。但し、これに限定されるものでなく、本発明の要旨を逸脱しない範囲内において種々変形実施可能である。
例えば、上述した実施例では、会議の開始から所定時間を経過しても記録開始ボタンが押されなかった場合に、操作者に警告していたが、記録開始ボタンが押下されなくても所定時間が経過したら自動で記録を開始するようにしてもよい。
また、上述した実施例では、画像の入力開始タイミングと、音声の入力開始タイミングとを検出して、開始タイミングの遅い方の入力開始から所定時間を経過しても記録開始操作が行われていない場合にユーザに通知を行うものであった。これ以外に、画像の入力と音声の入力との少なくとも一方の開始を検出したら、検出した時刻から所定時間を経過しても記録開始操作が行われていない場合に、ユーザに通知したり、自動で記録を開始するものであってもよい。
【図面の簡単な説明】
【００５８】
【図１】情報処理装置の構成を示すブロック図である。
【図２】画像データと音声データの入力タイミングを示す図である。
【図３】第１提示開始時刻と第２提示開始時刻と現在時刻との関係を示す図である。
【図４】警告タイミングを示す図である。
【図５】情報処理装置の処理手順を示すフローチャートである。
【図６】ソフトウェア制御による実施例のハードウェア構成を示す図である。
【符号の説明】
【００５９】
１  情報処理装置
２  カメラ（画像入力手段）
３    第１Ａ／Ｄ変換部
４  フレームバッファ
５  スライド再生開始時刻検出部（再生時刻検出手段）
６  第１符号化部
７  画像データ記憶部
８  表示部
９  マイク（音声入力手段）
１０  第２Ａ／Ｄ変換部
１１  音声バッファ
１２  発話開始時刻検出部（発話開始時刻検出手段）
１３  第２符号化部
１４  音声データ記憶部
１５  音声出力部
１６  タイマ
１７  時間順序決定部（判定手段）
１８  通知警告部（判定手段と通知手段）
１９  記録開始判定部
２０  操作部（操作受付手段）
【図１】
2008311883.tif 000003
【図２】
2008311883.tif 000004
【図３】
2008311883.tif 000005
【図４】
2008311883.tif 000006
【図５】
2008311883.tif 000007
【図６】
2008311883.tif 000008